(57)【要約】【課題】電力消費を軽減し、低コストであり、しかも短時間に強度を低下することなく接続することが可能な鉄筋接続方法及び鉄筋接続構造を提供することを目的としている。【解決手段】  一方の鉄筋１に金属パイプ２を外挿し、金属パイプ２の両端部２ａを絞り一方の鉄筋１に押圧固定させ、他方の鉄筋４を金属パイプ２に交差させて溶接し、一方の鉄筋１に、金属パイプ２を介して他方の鉄筋４を接続固定する。また、一方の金属パイプ１２と他方の金属パイプ１４とを交差させて溶接し、一方の金属パイプ１２に一方の鉄筋１１を内挿し、一方の金属パイプ１２の両端部１２ａを絞り一方の鉄筋１１に押圧固定させ、他方の金属パイプ１４に他方の鉄筋１３を内挿し、他方の金属パイプ１４の両端部１４ａを絞り他方の鉄筋１３に押圧固定させ、一方の鉄筋１１に、一方の金属パイプ１２と、他方の金属パイプ１４とを介して他方の鉄筋１３を接続固定する。【選択図】図５
2007314999.tif 000002
【特許請求の範囲】
【請求項１】
一方の鉄筋に金属パイプを外挿し、
前記金属パイプの両端部を絞り前記一方の鉄筋に押圧固定させ、
他方の鉄筋を前記金属パイプに交差させて溶接し、
前記一方の鉄筋に、前記金属パイプを介して前記他方の鉄筋を接続固定する、
ことを特徴とする鉄筋接続方法。
【請求項２】
一方の金属パイプと他方の金属パイプとを交差させて溶接し、
前記一方の金属パイプに一方の鉄筋を内挿し、
前記一方の金属パイプの両端部を絞り前記一方の鉄筋に押圧固定させ、
前記他方の金属パイプに他方の鉄筋を内挿し、
前記他方の金属パイプの両端部を絞り前記他方の鉄筋に押圧固定させ、
前記一方の鉄筋に、前記一方の金属パイプと、前記他方の金属パイプとを介して前記他方の鉄筋を接続固定する、
ことを特徴とする鉄筋接続方法。
【請求項３】
一方の鉄筋と、
他方の鉄筋と、
前記一方の鉄筋が内挿される金属パイプとからなり、
前記金属パイプに一方の鉄筋を内挿し、
前記金属パイプの両端部を絞り前記内挿した一方の鉄筋に押圧させ、
前記他方の鉄筋を前記金属パイプに交差させて溶接し、
前記一方の鉄筋に、前記金属パイプを介して前記他方の鉄筋を接続固定した、
ことを特徴とする鉄筋接続構造。
【請求項４】
一方の鉄筋と、
他方の鉄筋と、
交差させて溶接した一方の金属パイプと他方の金属パイプとを有し、
前記一方の金属パイプに一方の鉄筋を内挿し、
前記一方の金属パイプの両端部を絞り前記一方の鉄筋に押圧固定させ、
前記他方の金属パイプに他方の鉄筋を内挿し、
前記他方の金属パイプの両端部を絞り前記他方の鉄筋に押圧固定させ、
前記一方の鉄筋に、前記一方の金属パイプと、前記他方の金属パイプとを介して前記他方の鉄筋を接続固定した、
ことを特徴とする鉄筋接続構造。
【発明の詳細な説明】
【技術分野】
【０００１】
この発明は、例えば作業現場において施エサイズに応じて容易に組立てることができるスラブ鉄筋ユニットなどの接続に用いる鉄筋接続方法及び鉄筋接続構造に関する。 
【背景技術】
【０００２】
例えば、住宅基礎としてコンクリート基礎が一般的になっており、このコンクリート基礎は、現場で母材の鉄筋を１本ずつ縦方向に並べ、さらに１本ずつ横方向に並べて重ね、所定箇所の結束を行ないメッシュ状に配筋することが行なわれている。
【０００３】
しかし、現場で鉄筋の縦方向の間隔や横方向の間隔を一定にすることが困難で、スラブ鉄筋配に時間がかかり、現場作業が大変であった。このため、この出願人は、運搬が容易で、作業現場において施工に応じて組み立て、取扱いが容易であるスラブ鉄筋ユニットを提案した（例えば特許文献1）。
【特許文献１】特開2003−27646号公報
【発明の開示】
【発明が解決しようとする課題】
【０００４】
しかし、このようなスラブ鉄筋ユニットなど鉄筋の溶接には、図１３に示すように、一方の母材の鉄筋100に他方の母材の鉄筋101を交差させて配置し、この交差する部分の一方に正電極110を当がい、他方に負電極１１１を当がいスポット溶接している。このスポット溶接は重ね合わせた鉄筋を電極の先端で挟み、比較的小さな部分に電流を集中させて局部的に加熱し、同時に電極で加圧して行うことから重ね合わせた鉄筋全体に電流が流れ、多くの電力を消費し、時間がかかり、かつ鉄筋のせん断強度が低下する虞がある。このため、スポット溶接では、一度に電流を流さないで複数回にわたり通電したり、溶接後に加熱して焼き戻しを行いせん断強度を向上させているなどの問題がある。
【０００５】
この発明は、このような実情に鑑みてなされたもので、電力消費を軽減し、低コストであり、しかも短時間に強度を低下することなく接続することが可能な鉄筋接続方法及び鉄筋接続構造を提供することを目的としている。
【課題を解決するための手段】
【０００６】
前記課題を解決し、かつ目的を達成するために、この発明は、以下のように構成した。
請求項１に記載の発明は、
一方の鉄筋に金属パイプを外挿し、
前記金属パイプの両端部を絞り前記一方の鉄筋に押圧固定させ、
他方の鉄筋を前記金属パイプに交差させて溶接し、
前記一方の鉄筋に、前記金属パイプを介して前記他方の鉄筋を接続固定する、
ことを特徴とする鉄筋接続方法である。
【０００７】
請求項２に記載の発明は、
一方の金属パイプと他方の金属パイプとを交差させて溶接し、
前記一方の金属パイプに一方の鉄筋を内挿し、
前記一方の金属パイプの両端部を絞り前記一方の鉄筋に押圧固定させ、
前記他方の金属パイプに他方の鉄筋を内挿し、
前記他方の金属パイプの両端部を絞り前記他方の鉄筋に押圧固定させ、
前記一方の鉄筋に、前記一方の金属パイプと、前記他方の金属パイプとを介して前記他方の鉄筋を接続固定する、
ことを特徴とする鉄筋接続方法である。
【０００８】
請求項３に記載の発明は、
一方の鉄筋と、
他方の鉄筋と、
前記一方の鉄筋が内挿される金属パイプとからなり、
前記金属パイプに一方の鉄筋を内挿し、
前記金属パイプの両端部を絞り前記内挿した一方の鉄筋に押圧させ、
前記他方の鉄筋を前記金属パイプに交差させて溶接し、
前記一方の鉄筋に、前記金属パイプを介して前記他方の鉄筋を接続固定した、
ことを特徴とする鉄筋接続構造である。
【０００９】
請求項４に記載の発明は、
一方の鉄筋と、
他方の鉄筋と、
交差させて溶接した一方の金属パイプと他方の金属パイプとを有し、
前記一方の金属パイプに一方の鉄筋を内挿し、
前記一方の金属パイプの両端部を絞り前記一方の鉄筋に押圧固定させ、
前記他方の金属パイプに他方の鉄筋を内挿し、
前記他方の金属パイプの両端部を絞り前記他方の鉄筋に押圧固定させ、
前記一方の鉄筋に、前記一方の金属パイプと、前記他方の金属パイプとを介して前記他方の鉄筋を接続固定した、
ことを特徴とする鉄筋接続構造である。
【発明の効果】
【００１０】
この請求項１及び請求項３に記載の発明によれば、一方の鉄筋と他方の鉄筋の交差する部分の接続に金属パイプを用い、一方の鉄筋と他方の鉄筋とを直接溶接することがないようにして接続固定したから、電力消費を軽減し、低コストであり、しかも短時間に強度を低下することなく接続固定することが可能である。
【００１１】
この請求項２及び請求項４に記載の発明によれば、一方の鉄筋に押圧固定した一方の金属パイプと、他方の鉄筋に押圧固定した他方の金属パイプとを交差させて溶接して接続固定し、一方の鉄筋と他方の鉄筋の交差する部分の接続に金属パイプを用い、一方の鉄筋と他方の鉄筋とを直接溶接することがないようにして接続固定したから、電力消費を軽減し、低コストであり、しかも短時間に強度を低下することなく接続固定することが可能である。
【発明を実施するための最良の形態】
【００１２】
以下、この発明の鉄筋接続方法及び鉄筋接続構造の実施の形態について説明するが、この発明の実施の形態は、発明の最も好ましい形態を示すものであり、これに限定されない。
【００１３】
次に、この発明の実施例を、図１乃至図５に基づいて詳細に説明する。
図1は一方の鉄筋に金属パイプを外挿する状態を示す正面面、図２は図１の側面図である。一方の鉄筋１に金属パイプ２を外挿する。この実施の形態では、一方の鉄筋１が主筋であり、金属パイプ２の内径Ｄ１は、一方の鉄筋１の外径Ｄ２よりやや大きくして容易に一方の鉄筋１を外挿することができるようになっている。
【００１４】
次に、図３は金属パイプの両端部を絞り他方の鉄筋に押圧する状態を示す正面面である。金属パイプ２の両端部２ａを絞り、この両端部２ａは例えば油圧などの絞り機によって行う。この金属パイプ２の両端部２ａを絞り、この絞り部２ａ１が一方の鉄筋１を押圧し、一方の鉄筋１と金属パイプ２とが接続固定される。
【００１５】
次に、図４は金属パイプに他方の鉄筋を溶接する状態を示す正面面、図５は図４の側面図である。金属パイプ２に他方の鉄筋４を交差させてあてがい、金属パイプ２に他方の鉄筋４を溶接３して接続固定する。この実施の形態では、他方の鉄筋４があばら筋である。この溶接３の部分は、強度が一定になるように、金属パイプ２としては、鉄筋４と同じ材質の鉄パイプを用いる。
【００１６】
この実施の形態の鉄筋接続構造は、一方の鉄筋１と、他方の鉄筋４と、一方の鉄筋１が内挿される金属パイプ２とからなり、金属パイプ２に一方の鉄筋１を内挿し、金属パイプ２の両端部２ａを絞り内挿した一方の鉄筋１に押圧させ、他方の鉄筋４を金属パイプ２に交差させて溶接し、一方の鉄筋１に、金属パイプ２を介して他方の鉄筋４を接続固定した構成である。このように、一方の鉄筋１と他方の鉄筋４の交差する部分の接続に金属パイプ２を用い、一方の鉄筋１と他方の鉄筋４とを直接溶接することがないようにして接続固定したから、電力消費を軽減し、低コストであり、しかも短時間に強度を低下することなく接続固定することが可能である。
【００１７】
次に、この発明の他の実施例を、図６乃至図１１に基づいて詳細に説明する。
【００１８】
図６は一方の金属パイプと他方の金属パイプとを交差させて溶接した状態を示す正面面、図７は図6の側面図である。一方の金属パイプ１２と他方の金属パイプ１４とを交差させて溶接１５する。この一方の金属パイプ１２と他方の金属パイプ１４は、この溶接１５の部分の強度が一定になるように、金属パイプ１２，１４は、同じ材質の鉄パイプを用いる。
【００１９】
図８は一方の鉄筋に一方の金属パイプを押圧固定させる状態を示す正面面、図９は図８の側面図である。まず、一方の鉄筋１１に一方の金属パイプ１２を外挿し、一方の金属パイプ１２の両端部１２ａを絞り、この両端部１２ａは例えば油圧などの絞り機によって行う。この金属パイプ１２の両端部１２ａを絞り、この絞り部１２ａ１が一方の鉄筋１１を押圧し、金属パイプ１２を一方の鉄筋１１に押圧固定させる。
【００２０】
図１０は他方の鉄筋に他方の金属パイプを押圧固定させる状態を示す正面面、図１１は図１０の側面図である。同様に、他方の鉄筋１３に他方の金属パイプ１４を外挿し、他方の金属パイプ１４の両端部１４ａを絞り、この両端部１４ａは例えば油圧などの絞り機によって行う。この金属パイプ１４の両端部１４ａを絞り、この絞り部１４ａ１が他方の鉄筋１３を押圧し、金属パイプ１４を他方の鉄筋１３に押圧固定させる。
この実施の形態の鉄筋接続構造は、一方の鉄筋１１に押圧固定した一方の金属パイプ１２と、他方の鉄筋１３に押圧固定した他方の金属パイプ１４とを交差させて溶接して接続固定し、一方の鉄筋１１と他方の鉄筋１３の交差する部分の接続に金属パイプ１２，１４を用い、一方の鉄筋１１と他方の鉄筋１３とを直接溶接することがないようにして接続固定したから、電力消費を軽減し、低コストであり、しかも短時間に強度を低下することなく接続固定することが可能である。
【００２１】
次に、この発明の適用例を図１２に基づいて詳細に説明する。図１２はスラブ鉄筋ユニットの平面図である。この実施の形態は、図1乃至図5の実施の形態をスラブ鉄筋ユニット３０１に適用したものであり、スラブ鉄筋ユニット３０１は、所定長さの直線状のスラブ横鉄筋３１１を複数所定間隔で所定長さの直線状のスラブ縦鉄筋３１２で連結して作成される。スラブ横鉄筋３１１とスラブ縦鉄筋３１２は、図１乃至図６に示すように、交差する部分の接続に金属パイプ３０２を用い、金属パイプ３０２の両端部３０２ａを絞り押圧させ、スラブ横鉄筋３１１とスラブ縦鉄筋３１２とを直接溶接することがないようにして接続固定したから、電力消費を軽減し、低コストであり、しかも短時間に強度を低下することなく接続固定することが可能である。
【００２２】
このスラブ鉄筋ユニット３０１には、図６乃至図１０の実施の形態を同様に適用することができる。
【産業上の利用可能性】
【００２３】
この発明は、例えば作業現場において施エサイズに応じて容易に組立てることができるスラブ鉄筋ユニットなどの接続に用いる鉄筋接続方法及び鉄筋接続構造に適用でき、電力消費を軽減し、低コストであり、しかも短時間に強度を低下することなく接続することが可能である。
【図面の簡単な説明】
【００２４】
【図１】一方の鉄筋に金属パイプを外挿する状態を示す正面面である。
【図２】図１の側面図である。
【図３】金属パイプの両端部を絞り他方の鉄筋に押圧する状態を示す正面面である。
【図４】金属パイプに他方の鉄筋を溶接する状態を示す正面面である。
【図５】図４の側面図である。
【図６】一方の金属パイプと他方の金属パイプとを交差させて溶接した状態を示す正面面である。
【図７】図6の側面図である。
【図８】一方の鉄筋に一方の金属パイプを押圧固定させる状態を示す正面面である。
【図９】図8の側面図である。
【図１０】他方の鉄筋に他方の金属パイプを押圧固定させる状態を示す正面面である。
【図１１】図１０の側面図である。
【図１２】スラブ鉄筋ユニットの平面図である。
【図１３】スラブ鉄筋ユニットなど鉄筋の溶接を示す図である。
【符号の説明】
【００２５】
１  一方の鉄筋
２  金属パイプ
２ａ  金属パイプ２の両端部
２ａ１  絞り部
３  溶接部分
４  他方の鉄筋
Ｄ１  金属パイプ２の内径
Ｄ２  他方の鉄筋４の外径
１１  一方の鉄筋
１２  一方の金属パイプ
１２ａ  一方の金属パイプ１２の両端部
１２ａ１  絞り部
１３  他方の鉄筋
１４  他方の金属パイプ
１４ａ  他方の金属パイプ１４の両端部
１４ａ１  絞り部
１５  溶接
３０１  スラブ鉄筋ユニット
３１１  スラブ横鉄筋
３１２  スラブ縦鉄筋
３０２  金属パイプ
３０２ａ  金属パイプ３０２の両端部
【図１】
2007314999.tif 000003
【図２】
2007314999.tif 000004
【図３】
2007314999.tif 000005
【図４】
2007314999.tif 000006
【図５】
2007314999.tif 000007
【図６】
2007314999.tif 000008
【図７】
2007314999.tif 000009
【図８】
2007314999.tif 000010
【図９】
2007314999.tif 000011
【図１０】
2007314999.tif 000012
【図１１】
2007314999.tif 000013
【図１２】
2007314999.tif 000014
【図１３】
2007314999.tif 000015